(57)【要約】【課題】            操作性が良好な上、視認性も良好なリモコン装置を提供する。【解決手段】        本体部１０と操作部２０とを一体的に具備しているリモコン装置であって、重心を下部側に配置することで横倒されても起き上がるようにした。【選択図】          図１
2008078865.tif 000002
【特許請求の範囲】
【請求項１】
本体部と操作部とを一体的に具備しているリモコン装置であって、
重心を下部側に配置することで横倒されても起き上がるようにしたことを特徴とするリモコン装置。
【請求項２】
上記本体部は、片手で握れるように起立状態で上下方向へ長い略長尺状に形成されるとともに、その下部が曲面状に形成され、
上記操作部は、上記本体部の起立状態において側方を向くように配設されていることを特徴とする請求項１記載のリモコン装置。
【請求項３】
上記本体部は、起立状態における上下方向の中央部側をその上部側と下部側に対し凹ませることで、この中央部側に、片手で握ることが可能な凹状把持部を形成しており、
上記操作部は、前記凹状把持部に配設されていることを特徴とする請求項２記載のリモコン装置。
【請求項４】
開閉体をスライドさせて開閉動作させる開閉装置におけるリモコン装置であって、
上記操作部は、前記開閉体を開放動作させる開放スイッチと同開閉体を閉鎖動作させる閉鎖スイッチとを少なくとも備え、
これらスイッチは上記本体部の起立状態において前記開閉体の開閉方向に対応して並べ設けられ、前記開閉体の開放方向に対応する側に上記開放スイッチが配置されるとともに前記開閉体の閉鎖方向に対応する側に上記閉鎖スイッチが配置されていることを特徴とする請求項１乃至３何れか１項記載のリモコン装置。
【請求項５】
上記本体部が傾いた状態に起立することで、上記操作部が斜め上方を向くように、上記重心の位置を、上記操作部に対する後方寄りに配置したことを特徴とする請求項１乃至４何れか１項記載のリモコン装置。
【請求項６】
上記重心の位置を上記操作部の前後方向へ調整する重心調整手段が具備されていることを特徴とする請求項１乃至５何れか１項記載のリモコン装置。
【請求項７】
上記本体部に対し上記操作部を着脱可能に具備してなり、
前記操作部は、単独でもってリモコン装置として機能するように構成されていることを特徴とする請求項１乃至６何れか１項記載のリモコン装置。
【請求項８】
上記本体部の下端側の面に、上記本体部の起立状態で被載置面に対し少なくとも三点以上の点を当接させる起立時当接部を設けたことを特徴とする請求項１乃至７何れか１項記載のリモコン装置。
【発明の詳細な説明】
【技術分野】
【０００１】
本発明は、制御対象物を遠隔操作するためのリモコン装置に関し、特にシャッター装置やオーバーヘッドドア等の開閉装置を遠隔操作するのに好適なリモコン装置に関するものである。
【背景技術】
【０００２】
従来、この種の発明には、例えば特許文献１に記載されたもののように、平板状やカード状を呈し、その表面に、開釦（８）や停止釦（９）、閉釦（１０）等からなる操作部を露出したシャッターのリモートコントロール装置がある。
このようなリモコン装置は、特に制御対象が窓用シャッターの場合には、室内において机上面や床面等に置かれる場合がある。
また、制御対象がテレビジョンやビデオ等の家電製品等の場合も、リモコン装置が前記同様にして用いられる。
【０００３】
しかしながら、上記従来技術によれば、机上面や床面に置かれたリモコン装置を手で掴み、操作し易いように持ち替えた上で、操作を始めるという使い方となる場合が多い。すなわち、リモコン装置をワンアクションで操作するのに困難な場合があり、特に手に障害がある者等にとってはその困難さが顕著となり易い。
また、手に取ったとしても、複数のボタンの内、どのボタンを押したらばよいのかを直ぐに把握できない場合があり、このような困難さは、特に視力障害者が用いた場合に顕著となり易い。
また、形状が平板状やカード状であるため、机上面や床面に置いた場合には水平方向のスペースが占領され邪魔になったり、書類等の下に隠れてしまって見つけ難かったり等する場合もある。
【特許文献１】実開平５−６９２９４号公報
【発明の開示】
【発明が解決しようとする課題】
【０００４】
本発明は上記従来事情に鑑みてなされたものであり、その課題とする処は、操作性が良好な上、視認性も良好なリモコン装置を提供することにある。
【課題を解決するための手段】
【０００５】
上記課題を解決するために第一の発明は、本体部と操作部とを一体的に具備しているリモコン装置であって、重心を下部側に配置することで横倒されても起き上がるようにしたことを特徴とする。
【０００６】
ここで、本発明に係わるリモコン装置は、テレビジョンやビデオ装置等の家電製品用のリモコン装置や、エアコン用のリモコン装置等に適用可能であるが、好ましくは、スクリーンシャッター装置やオーバーヘッドドアを含むシャッター装置、ロールスクリーン装置、ブラインド、オーニング装置等、開閉体を開閉動作させるようにした開閉装置を遠隔操作するためのリモコン装置として適用され、特に好ましくは、前記シャッター装置用のリモコン装置として適用される。
また、このリモコン装置は、制御対象機器に対し制御信号を無線送信する構成とするのが好ましいが、制御信号を有線送信する構成とすることも可能である。
【０００７】
また、上記本体部とは、机上面や床面等の被載置面に対し載置されるように形成された部分であることを意味する。
【０００８】
また、上記操作部とは、当該リモコン装置の制御対象機器を制御動作させるために操作される部分であればよく、例えば、押圧スイッチ等の接触式スイッチを上記本体部から露出させる構成とされる。
また、この操作部の他例としては、近接スイッチや、赤外線スイッチ等の被接触式スイッチを用いた態様や、制御対象機器の音量等を制御するボリュームを備えた態様等であってもよい。
【０００９】
本発明では、上記操作部を前記各種スイッチのみから構成するとともに、送信機、送信アンテナ、電源等を上記本体部に備えるようにしてもよいし、上記操作部に、前記各種のスイッチ、送信機、送信アンテナ、および電源等を備える構成としてもよい。
【００１０】
また、「本体部と操作部とを一体的に具備し」という構成には、本体部と操作部とを着脱不能に一体化した構成と、本体部と操作部とを着脱可能に一体化した構成とを含み、特に後者の態様とする場合、操作部は、操作スイッチ、送信機、送信アンテナ、および電源等を備える構成とするのが好ましい。
【００１１】
また、「重心を下部側に配置する」とは、横倒されても重量バランスにより起き上がるように重心を下部側に配置した構成とすればよい。
この構成には、本体部の下部側の重量を上部側の重量よりも大きくした態様や、本体部の下部側の内部に錘体を設けるようにした態様等を含み、特に後者の態様とする場合には、前記錘体の一部又は全部を当該リモコン装置の電源であるバッテリーとするのが好ましい。
【００１２】
また、上記本体部の下部側形状は、好ましくは、略半球状や略半円柱状等の曲面状とされるが、他例としては、多数の平坦面を曲面に沿って並べた形状等とすることも可能である。
【００１３】
なお、上記下部側とは、リモコン装置が起立した状態における該リモコン装置の下部側を意味する。
また、同様に、本明細書中において、リモコン装置の上部側とは、リモコン装置が起立した状態における該リモコン装置の上部側を意味する。
【００１４】
また、上記「横倒されても起き上がる」という構成は、一方向又は複数方向の限定された方向において横倒されたときのみ起き上がり、他の方向では起き上がらない態様としてもよいが、好ましくは、どの方向に横倒された場合でも起き上がる態様とする。
【００１５】
また、上記「横倒されても起き上がる」という構成は、所定の傾きまで横倒された場合には自動的に起き上がるが、所定の傾き以上横倒された場合には置き上がらないような態様とすることも可能である。この態様においても、起き上がる場合の方向を限定してもよいし限定しなくてもよい。
【００１６】
また、第二の発明では、上記本体部は、片手で握れるように起立状態で上下方向へ長い略長尺状に形成されるとともに、その下部が曲面状に形成され、上記操作部は、上記本体部の起立状態において側方を向くように配設されていることを特徴とする。
【００１７】
なお、上記側方とは垂直方向に対し交差する方向であればよく、この側方には、起立状態の本体部に対し、正面側の方向、後方、水平方向、斜め上方、斜め下方、左方向、右方向等を含む。
【００１８】
また、第三の発明では、上記本体部は、起立状態における上下方向の中央部側をその上部側と下部側に対し凹ませることで、この中央部側に、片手で握ることが可能な凹状把持部を形成しており、上記操作部は、前記凹状把持部に配設されていることを特徴とする。
【００１９】
また、第四の発明では、  開閉体をスライドさせて開閉動作させる開閉装置におけるリモコン装置であって、上記操作部は、前記開閉体を開放動作させる開放スイッチと同開閉体を閉鎖動作させる閉鎖スイッチとを少なくとも備え、これらスイッチは上記本体部の起立状態において前記開閉体の開閉方向に対応して並べ設けられ、前記開閉体の開放方向に対応する側に上記開放スイッチが配置されるとともに前記開閉体の閉鎖方向に対応する側に上記閉鎖スイッチが配置されていることを特徴とする。
【００２０】
ここで、上記開放スイッチと上記閉鎖スイッチの構成には、開閉体の開閉方向が左右方向である場合に、これらスイッチを左右方向に並べた態様、開閉体の開閉方向が斜め方向である場合に、これらスイッチを斜め方向に並べた態様、開閉体開閉方向が上下方向である場合に、これらスイッチを上下方向に並べた態様等を含む。
【００２１】
また、第五の発明では、上記本体部が傾いた状態に起立することで、上記操作部が斜め上方を向くように、上記重心の位置を、上記操作部に対する後方寄りに配置したことを特徴とする。
【００２２】
ここで、「上記重心の位置を、上記操作部に対する後方寄りに配置した」という構成は、より具体的には、当該リモコン装置の前方側（操作部を有する側）の部分よりも後方側の部分を重くした構成とすればよい。
この構成には、上記本体部内部の錘体（バッテリー等を含む）を当該リモコン装置の後方寄りに配置した態様や、上記本体部や他の部分の重量バランスによって当該リモコン装置の前方側の部分よりも後方側の部分を重くした態様等を含む。
【００２３】
また、第六の発明では、上記重心の位置を上記操作部の前後方向へ調整する重心調整手段が具備されていることを特徴とする。
【００２４】
ここで、重心調整手段には、本体部の形状を変形可能にすることで、重心位置が移動できるようにした態様や、錘体を本体部に相対して前後方向へ移動し固定できるようにした態様等を含む。
【００２５】
また、第七の発明では、上記本体部に対し上記操作部を着脱可能に具備してなり、前記操作部は、単独でもってリモコン装置として機能するように構成されていることを特徴とする。
【００２６】
ここで、「前記操作部は、単独でもってリモコン装置として機能するように構成されている」とは、具体例としては、操作部に、操作スイッチや、送信機、アンテナ、電源等を一体化した構成とされる。
【００２７】
また、第八の発明では、上記本体部の下端側の面に、上記本体部の起立状態で被載置面に対し少なくとも三点以上の点を当接させる起立時当接部を設けたことを特徴とする。
【００２８】
ここで、起立時当接部は、被載置面に対し当接するように、三点以上の複数の突起を本体部の下端側の面に設けた態様や、本体部の下端側の面に部分的な平坦面を設けた態様等とすることが可能であり、生産性等の観点より特に後者の態様が好ましい。
【発明の効果】
【００２９】
本発明は、以上説明したように構成されているので、以下に記載されるような作用効果を奏する。
第一の発明によれば、机上面や床面等の被載置面ｐに例えば横向きに置かれた場合でも、重量バランスにより自動的に起き上がり、起立状態に維持される。
したがって、手で掴み易い上、掴んだ後には操作を開始し易い。
しかも、起立状態に維持されるため、見つけ易く、書類等の物の下にも隠され難い。
よって、操作性が良好な上、視認性も良好なリモコン装置を提供することができる。
【００３０】
更に、第二の発明によれば、下部が曲面状であるため、横置きされた場合でも起立状態への復帰が速やかである。
起立状態では、上下方向へ長い略長尺状であるため、片手で容易に握ることができる。しかも、操作部が側方を向いているため、握った片手によって持ち替えることなく、容易に操作を開始することが可能となる。
【００３１】
更に、第三の発明によれば、本体部が握られる際、その握ろうとする片手が、凹状把持部によって、本体部上下方向の中央部側に位置合わせされる。そして、その把持状態においては、操作部に対し、片手の上下方向位置が略対応することになる。
よって、本体部を手で握って操作部に対する操作を開始するまでの動作を速やかに行うことができる。
しかも、本体部を握った際の手が、凹状把持部に嵌り合うようにして位置するため、本体部が手から滑り落ちてしまうようなことを防ぐことができる。
【００３２】
更に、第四の発明によれば、本体部が起立状態に維持されることで、開放スイッチと閉鎖方向の並び方向が、開閉体の開閉方向に対応する。
したがって、操作者は、開閉体を所望とする方向へ動作させるために、どのスイッチを操作すればよいのかを把握し易い。
【００３３】
更に、第五の発明によれば、起立状態において操作部が斜め上方を向くため、視認性を一層向上することができる。
【００３４】
更に、第六の発明によれば、起立状態における傾き加減を調整することができ、ひいては、操作者等が当該リモコン装置を置く場所に応じて、視認性を良好にすることができる。
【００３５】
更に、第七の発明によれば、本体部に対し操作部が装着された状態で操作部を操作することができるのは勿論のこと、本体部から外された状態の操作部を操作することも可能であり、一層操作性を向上することができる。
【００３６】
更に、第八の発明によれば、起立状態における安定性および静止性を向上することができる。
【発明を実施するための最良の形態】
【００３７】
以下、本発明の実施の形態を図面に基づいて説明する。
本実施の形態は、住宅やビル、倉庫、工場、地下街、トンネル、車両の荷台等の構築・構造物の開口部分や、構築・構造物の内部に配設され、前記開口部分を開閉したり、構築・構造物内部の空間を仕切ったり開放したりする開閉装置を遠隔操作するためのリモコン装置として説明する。
【００３８】
このリモコン装置１は、床面や地面等の略平坦状の面に載置される本体部１０と、該本体部１０の正面部分に露出された操作部２０とを一体的に備え、重心を下部側に配置することで横倒されても起き上がるように構成されている（図１及び２参照）。
【００３９】
そして、このリモコン装置１は、操作部２０が手動操作されることにより開閉装置Ａに対し操作信号を送信する。開閉装置Ａは、本実施の形態の好ましい一例によれば、構造物壁面の窓硝子ａ１に対し開閉体ａ２を平行に配設し、該開閉体ａ２を上下方向へスライドさせて開閉動作するようにした窓用シャッター装置である。
【００４０】
本体部１０は、片手で握れるように起立状態で上下方向へ長い略長尺状に形成されるとともに、その下部１１が略曲面状に形成されている。
より詳細に説明すれば、この本体部１０は、その横断面形状が前後方向（図２における左右方向）に扁平な略楕円形状であって、起立状態における上下方向の中央部側を、その上部側と下部側に対し周方向にわたって凹ませることで、この中央部側に、片手で握ることが可能な凹状把持部１２を形成している。
【００４１】
凹状把持部１２は、本体部１０における下部１１から上方へ、その横断面の外径を徐々に縮径するとともに、同様にして上部１３から下方へ、その横断面の外径を徐々に縮径することで、上下方向の中央部側の部分を、滑らかな凹曲面状であって、且つ水平周方向へ連続する略環状に形成している。
この凹状把持部１２は、図４に示すように、片手の拇指と該拇指以外の指との間に包まれるようにして握られるように、その表面の曲面形状および寸法が適宜に設定されている。より好ましくは、この曲面形状は、把持する操作者等に対し、良好なフィット感を与えるように人間工学的に設計される。
【００４２】
更に、図示した好ましい一例によれば、凹状把持部１２は、本体部１０の上下方向における中央部よりも若干上方よりに配置されている。
この構成によれば、床面等に載置された際の本体部１０を、より掴み易くすることができる。
【００４３】
下部１１と上部１３は、それぞれ上方と下方を向く略半球状に形成されている。本実施の形態による好ましい一例によれば、下部１１の横断面上の最大外径を、上部１３の横断面上の最大外径よりも大きくすることで、起立状態での安定性を良好にしている。
【００４４】
更に、下部１１の下端側の面には、当該リモコン装置１が起立した際に、机上面や床面等の被載置面ｐに対し当接させるように、起立時当接部１１ａが形成されている。
この起立時当接部１１ａは、本実施の形態による好ましい一例によれば、２次元的な広がりをもつ略平坦状の面であり、本体部１０の下端側の面を略平坦状に形成することで構成されている。
この起立時当接部１１ａは、図２に示すように、操作部２０を斜め上方へ向けて本体部１０が傾いた状態で起立した際に、被載置面ｐに対し当接するように、本体部１０の下端側の面における後方寄りに配置されている。
【００４５】
なお、上記起立時当接部１１ａの他例としては、凹部を形成するとともに、該凹部の突出する周縁部が、被載置面ｐに対し略円形や略楕円形等の線状に当接する態様としてもよい。
また、この起立時当接部１１ａは、被載置面ｐに対し少なくとも３点以上の点を当接させるようにすればよく、例えば、本体部１０の下端側の面に三以上の突部を設け、当該リモコン装置１が起立した際に、これら突部が被載置面ｐに対し当接するようにしてもよいし、また、本体部１０の下端側の面に二以上の突部を設け、当該リモコン装置１が起立した際に、これら二以上の突部と本体部１０の下端側の面とが被載置面ｐに対し当接するようにしてもよい。
【００４６】
そして、上記した形状の本体部１０は、図３に示すように、操作部２０等が装着される表側片半部１０ａと、裏側片半部１０ｂとを、ネジやボルト等の止着具１４により接合することで構成されている。
【００４７】
表側片半部１０ａには、上記凹状把持部１２の箇所に対応して、後述する操作部２０の開放スイッチ２１、閉鎖スイッチ２２、停止スイッチ２３を露出させるための複数の貫通孔１０ａ１が形成されている。
この表側片半部１０ａの内側には、後述する操作部２０や、バッテリーケース３０を支持したり螺合させたりするためのリブやネジ孔等が適宜形成されている。
また、凹状把持部１２には、止着具１４を挿通させるための複数のネジ孔１０ｂ１が形成されている。
【００４８】
なお、図示例の本体部１０によれば、水平方向へ分割可能な複数の部材（具体的には表側片半部１０ａと裏側片半部１０ｂ）から構成しているが、他例としては、本体部１０を上下方向や斜め方向へ分割可能な複数の部材から形成することも可能である。
また、図示例の本体部１０によれば、表側片半部１０ａと裏側片半部１０ｂとを止着具１４により止着する構造としているが、これら表側片半部１０ａと裏側片半部１０ｂとを、嵌合構造によって接続するようにしてもよいし、嵌合構造および止着具１４によって接続するようにしてもよい。
【００４９】
そして、上記構成の本体部１０内には、操作部２０や、バッテリーケース３０、バッテリー３１等が電気配線され収納されている。
【００５０】
操作部２０は、その表部側に、開放スイッチ２１，閉鎖スイッチ２２，停止スイッチ２３を一体的に備え、裏部側には、前記スイッチ２１，２２，２３による操作信号を無線送信するための送信機（図示せず）やアンテナ（図示せず）等を備えている。
この操作部２０は、本体部１０の起立状態において、前記スイッチ２１，２２，２３が側方（換言すれば垂直方向に交差する方向）を向き、且つ凹状把持部１２に対応する位置となるように、表側片半部１０ａ内側に固定されている。
【００５１】
開放スイッチ２１，閉鎖スイッチ２２，停止スイッチ２３の各々は、表側からの押圧操作により接点を開閉するスイッチであればよく、例えば、押しボタンスイッチや、メンブレインスイッチ、その他の押圧式スイッチ等が用いられる。
これらスイッチは、閉鎖スイッチ２２を間に挟むようにして、その上下両側に開放スイッチ２１と停止スイッチ２３を配置することで、操作者が各スイッチの機能を把握し易いようにしている。
【００５２】
更に、本実施の形態の好ましい一例によれば、これらのスイッチ２１，２２，２３を、本体部１０の起立状態において開閉装置Ａにおける開閉体ａ２の開閉方向（図示例によれば上下方向）に対応するように並べ設けることで、各スイッチの機能を一層把握し易いようにしている。
より詳細に説明すれば、これらにスイッチ２１，２２，２３は、上下方向へ並べられ、これらの内の開放スイッチ２１は、開閉体ａ２の開放方向に対応するように、最も上側に位置するスイッチとされ、開閉体ａ２の開放方向を示す矢印形状を呈する。
また、閉鎖スイッチ２２は、開閉体ａ２の閉鎖方向に対応するように、最も下側に位置するスイッチとされ、開閉体ａ２の閉鎖方向を示す矢印形状を呈する。
そして、停止スイッチ２３は、開放スイッチ２１と停止スイッチ２３との間に位置するスイッチとされる。
【００５３】
また、本実施の形態の好ましい一例によれば、各スイッチの表面には、そのスイッチの機能を示すように点字２１ａ，２２ａ，２３ａが突設されている。この構成によれば、例えば、視力障害者であっても各スイッチの機能を容易に把握することができる。
また、各スイッチの表面には、必要に応じて「開」や「閉」、「停」等、そのスイッチの機能を示す文字や記号等が設けられる。
【００５４】
また、バッテリーケース３０は、本体部１０内の下部側に固定され、内部に、例えば乾電池等の単数もしくは複数のバッテリー３１を収納している。
これらバッテリーケース３０およびバッテリー３１は、バッテリーケース３０およびバッテリー３１は、裏側片半部１０ｂ側へ突出するようにして表側片半部１０ａ内の下部側に固定され、横倒された場合の当該リモコン装置１を重量バランスによって起き上がらせるための錘体として作用する。
【００５５】
より詳細には、本体部１０が傾いた状態で起立することで、操作部２０のスイッチ２１，２２，２３が斜め上方を向くように、バッテリーケース３０およびバッテリー３１の位置が設定されている。
すなわち、バッテリーケース３０およびバッテリー３１は、当該リモコン装置１の重心を、操作部２０に対する後方寄り（図２及び３における右寄り）に位置させるように、適宜に配置されている。
【００５６】
なお、リモコン装置１の重心位置は、当該リモコン装置１が起き上がり可能に横倒された状態において、当該リモコン装置１と被載置面ｐとの接触箇所を通る仮想鉛直線よりも、リモコン装置１の下端側（起立状態における下端側）であればよい。
すなわち、このような構成であれば、横倒された場合のリモコン装置１が重量バランスによって自動的に起き上がることになる。
【００５７】
また、当該リモコン装置１の重心は、操作部２０の正面視において左右に偏らないように（換言すれば当該リモコン装置が左右均等の重量バランスとなるように）、本体部１０の左右方向における中央寄りに位置する。
なお、例えば、開閉装置Ａの開閉体ａ２の開閉方向が斜め方向である場合には、前記重心を左右何れかに偏らせることで、リモコン装置が開閉体ａ２の開閉方向に沿う方向に傾いて起立する構成としてもよい。
【００５８】
次に上記構成のリモコン装置１について、その作用効果を詳細に説明する。
リモコン装置１は、横倒状態で机上面や床面などの被載置面ｐに置かれたとしても、バッテリー３１およびバッテリーケース３０等の内部構造により重心位置が本体部１０の下部１１後方側に位置するため、自動的に起き上がる。
【００５９】
そして、リモコン装置１は、操作部２０の各スイッチ２１，２２，２３を斜め上方へ向けた起立状態（図２参照）となる。
この起立状態は、起立時当接部１１ａと被載置面ｐの当接、および若干後方に位置するバッテリーケース３０およびバッテリー３１の配置により安定的に維持される。
【００６０】
この起立状態では、机上面や床面等の被載置面ｐから当該リモコン装置１が上方へ突出した状態となるため、操作者等は当該リモコン装置１を視認し易い。
また、当該リモコン装置１の上に書類等の物が重ねられて、当該リモコン装置１が隠されてしまうようなことを防ぐことができる。
【００６１】
そして、操作者等は、被載置面ｐから上方へ突出する当該リモコン装置１を、図４に示すように容易に掴み取ることができる。
当該リモコン装置１を掴み取った操作者等は、凹状把持部１２によって把持すべき上下方向位置が規制され、その把持状態のまま持ち替えることなく、拇指あるいは拇指以外の指により、スイッチ２１，２２，２３に対する操作を行うことができる。
この操作の際、スイッチ２１，２２，２３が開閉体ａ２の動作方向に対応して並んでいるため、操作者等は、各スイッチの機能を速やかに把握することができる。
また、リモコン装置１が起立状態で被載置面ｐに載置されるので、視力障害者等であっても各スイッチ２１，２２，２３表面の点字２１ａ，２２ａ，２３ａを正しい向きで把握するのが容易になる。
【００６２】
次に、他の態様のリモコン装置について説明する。なお、以下に示すリモコン装置について、上述したリモコン装置１と略同様に構成されている箇所については、上記リモコン装置１と同一の符号を用いることで重複する詳細説明を省略する。
【００６３】
図５に示すリモコン装置２は、上記リモコン装置１における本体部１０を、上部側に重心調整手段を有する本体部１０’に置換した構成としている。
本体部１０’は、その上部側が変形可能であって且つその変形状態が維持されるように構成されている。
この構成は、例えば、本体部１０’の少なくとも上部側を変形可能な合成樹脂材料から形成するとともに、該本体部１０’の上部側を、その内部側から銅材等の変形自在な金属材料からなる芯材（図示せず）によって支持する構成とすればよい。
【００６４】
また、この本体部１０’では、上記リモコン装置１における起立時当接部１１ａを省いた構成としている。
すなわち、起立した際の本体部１０’の傾斜角度が、本体部１０’の底面側（下部側）の面形状によって所定角度が制限されないようにしている。
【００６５】
このリモコン装置２によれば、本体部１０’の上部側および前記芯材を変形させることで、該リモコン装置２全体の重心を移動させることができ、この重心移動により、該リモコン装置２が起立した際の傾斜角度を調整して、操作部２０のスイッチ２１，２２，２３が向く方向を調整することができる。
したがって、例えば、操作者等が当該リモコン装置２を床面等の比較的低い箇所に置く場合には、本体部１０’の上部側を後方へ曲げて、起立状態における傾斜角度を大きくし、操作部２０のスイッチ２１，２２，２３を向けることができ、ひいては当該リモコン装置２の視認性を向上することができる。
また、操作者等が当該リモコン装置２を机上等の比較的高い箇所に置く場合には、本体部１０’の上部側を前方へ曲げて、起立状態における傾斜角度を小さくするとともに、操作部２０のスイッチ２１，２２，２３を水平方向に近い傾斜とし、当該リモコン装置２の視認性を向上することができる。
【００６６】
なお、上記リモコン装置２では上部側が変形する構成としたが、他例としては、下部側や、上下方向の中央側を変形させて重心位置を移動させる構造とすることも可能である。
【００６７】
また、図６に示すリモコン装置３では、本体部１０内の下部側に、錘体４１等からなる重心調整手段を備えた構成としている。
詳細に説明すれば、この重心調整手段は、本体部１０内の下部側に配設された略輪状の錘体４１と、該錘体４１を前後方向へ移動可能とするように、該錘体４１に挿通されて本体部１０内に螺合された螺合部材４２（例えば、ボルトやネジ等）と、該螺合部材４２の先端側に環装されて錘体４１を後方へ付勢する付勢部材４３（例えば、コイルスプリング等）を具備し、本体部１０の下部側後面に、螺合部材４２へ臨む貫通孔１５を設けている。
また、このリモコン装置３では、本体部１０下部側の起立時当接部１１ａを省くことで、起立した際の本体部１０の傾斜角度が、本体部１０下部側の面の形状により規制されないようにしている。
【００６８】
このリモコン装置３によれば、貫通孔１５に対しドライバー等の工具を挿込み、該工具によって螺合部材４２を回転させれば、その回転方向に応じて錘体４１を前方または後方へ移動させて固定することができる。
よって、上述したリモコン装置２と同様に、当該リモコン装置３が起立した際の傾斜角度を調整し、当該リモコン装置３の視認性を向上することができる。
【００６９】
また、図７に示すリモコン装置４は、本体部１０内の下部側に、可撓性部材５１と、該可撓性部材５１に支持された錘体５２とからなる重心調整手段を備えた態様である。
可撓性部材５１は、例えば、銅板等の可撓性の金属板であり、その表面と裏面が操作部２０に対する前後を向くように配設されて、その上端部が本体部１０内に固定されている。
錘体５２は、前記可撓性部材５１の下端に固定されている。
そして、このリモコン装置４では、本体部１０の下部側を部分的に外して、前記錘体５２を露出できる構成（図示せず）となっている。
また、このリモコン装置４では、本体部１０下部側の起立時当接部１１ａを省くことで、起立した際の本体部１０の傾斜角度が、本体部１０下部側の面の形状により規制されないようにしている。
【００７０】
よって、上記構成のリモコン装置４によれば、本体部１０の下部側を部分的に開放し、可撓性部材５１、あるいは可撓性部材５１と錘体５２の接続箇所を曲げることで、錘体５２を前方または後方へ移動すれば、当該リモコン装置４の重心位置を移動させることができ、ひいては、当該リモコン装置４が起立した際の傾斜角度を調整して、当該リモコン装置４の視認性を向上することができる。
【００７１】
また、図８に示す態様のリモコン装置５は、本体部６０に対し操作部７０を着脱可能に具備してなり、前記操作部７０を、単独でもってリモコン装置として機能するように構成している。
本体部６０は、略曲面状の載置部６１と、該載置部６１から後方斜め上方へ延設された被着脱部６２とから形成され、載置部６１下方向きの曲面部分を床面や机上面等の被載置面ｐに当接させて起立するように、その重心位置が設定されている。
【００７２】
載置部６１は、例えば金属材料を略中実半球状にした態様や、合成樹脂材料や金属材料を略中空半球状に加工し、その内部中央下端側に錘体を固定した態様等とすることができる。
この載置部６１の下端側の面には、必要に応じて略平坦状の起立時当接部６１ａが設けられる。
【００７３】
また、被着脱部６２は、操作部７０を着脱可能とする形状であればよく、例えば図８に示すように、操作部７０の背面側を受ける略平板状の受部６２ａと、操作部７０の下端側に遊嵌する略溝状の嵌合部６２ｂとからなる。
この被着脱部６２の他例としては、操作部７０をベルベットファスナー（面ファスナーと呼称される場合もある）によって着脱する態様や、その他の嵌合構造によって着脱する態様としてもよい。
【００７４】
また、操作部７０は、本体部６０に対し着脱可能な形状であればよいが、図示した好ましい一例によれば、平板状もしくはカード状に構成され、その表部側に開放スイッチ２１，閉鎖スイッチ２２，停止スイッチ２３を露出し、内部には、スイッチ２１，２２，２３による操作信号を無線送信するための送信機（図示せず）やアンテナ（図示せず）、バッテリー（例えば電池等）等を具備している。
【００７５】
上記構成のリモコン装置５によれば、本体部６０に対し操作部７０が装着された状態で操作部７０を操作できる上、本体部６０から外された状態の操作部７０を操作することも可能である。
したがって、例えば、操作部７０に対する操作が頻繁な場合には、本体部６０から操作部７０を外して、小型軽量な操作部７０を手に持って操作を行うことができ、一層操作性を向上することができる。
【００７６】
なお、上記リモコン装置５によれば、好ましい態様として、本体部６０が単独であっても自動的に起き上がるようにその重心を設定しているが、他例としては、本体部６０のみでは起き上がらず、本体部６０に操作部７０を装着した状態の重量バランスにより自動的に起き上がるように構成することも可能である。
【００７７】
また、本実施の形態では、当該リモコン装置の下端側を略半球状等の曲面状にしているが、他例としては、略半円柱状としてもよい。
この態様は、起立時に上端側が前後方向へ揺動する態様と、上端側が左右方向へ揺動する態様等とすることが可能である。
【００７８】
また、上記実施の形態では当該リモコン装置を直立状態に維持するための錘体（上記バッテリーケース３０及びバッテリー３１、錘体４１、錘体５２、リモコン装置５における本体部６０の重心部等を含む）が所定位置で固定される構成としているが、他例としては、前記錘体を前後方向へ所定間隔自在に移動する構成としてもよい。この構成における所定間隔とは、リモコン装置１の自動的な起き上がり動作が阻まれないように、適宜に設定された間隔である。
この構成によれば、リモコン装置の起き上がり動作を、若干遅くすることができる。したがって、起立状態で停止するまで際に、当該リモコン装置の上端側が振り子状に揺動してしまうのを防ぎ、当該リモコン装置の起立安定性を、より向上することができる。
【００７９】
また、上記リモコン装置１及びリモコン装置５では、起立時当接部１１ａ（又は６１ａ）により起立状態での安定性および静止性を良好にしているが、これら起立時当接部１１ａ（又は６１ａ）を省くことも可能である。
【００８０】
また、図１では、当該リモコン装置の制御対象物を明瞭に示すために、窓硝子ａ１より屋内側に開閉体ａ２を有する開閉装置Ａを記しているが、窓硝子ａ１よりも屋外側に開閉体ａ２を有する開閉装置に対しても、当該リモコン装置を適用できるのは勿論である。
【００８１】
また、上記実施の形態によれば、制御信号の送信媒体として電波を用いる構成としているが、他例としては、制御信号の送信媒体として赤外線や超音波等を用いるようにした構成とすることも可能である。
【図面の簡単な説明】
【００８２】
【図１】本発明に係わるリモコン装置の一例を示す正面図であり、併せて制御対象となる開閉装置の縮小正面図を示している。
【図２】同リモコン装置の側面図である。
【図３】図３における(III)-(III)線断面図である。
【図４】同リモコン装置の使用状態を示す正面図である。
【図５】本発明に係わるリモコン装置の他例を示す側面図である。
【図６】本発明に係わるリモコン装置の他例を示す側面図であり、（ａ）は重心を後方寄りに位置した状態を示し、（ｂ）は重心を（ａ）の場合よりも前方寄りに位置した状態を示す。
【図７】本発明に係わるリモコン装置の他例を示す側面図である。
【図８】本発明に係わるリモコン装置の他例を示す斜視図である。
【符号の説明】
【００８３】
１０，１０’，６０：本体部
１２：凹状把持部
２０，７０：操作部
２１：開放スイッチ
２２：閉鎖スイッチ
２３：停止スイッチ
【図１】
2008078865.tif 000003
【図２】
2008078865.tif 000004
【図３】
2008078865.tif 000005
【図４】
2008078865.tif 000006
【図５】
2008078865.tif 000007
【図６】
2008078865.tif 000008
【図７】
2008078865.tif 000009
【図８】
2008078865.tif 000010